(57)【要約】【課題】文書データが図形，写真等のオブジェクトを含む場合でも、複写牽制画像であるフォーム画像の隠しパターンを、プリント時に目立たなくし、コピー時に浮き上がりやすいように、文書データにフォーム画像を重畳することができる画像処理プログラム、画像処理方法、印刷装置および印刷指示装置を提供する。【解決手段】この画像処理プログラムは、文書データにフォーム画像が重畳されているか否かを判定するステップと、文書データにフォーム画像が重畳されている場合に、文書データに図形が含まれているか否かを判定するステップと、文書データに図形が含まれている場合に、図形の濃度を修正するステップとを含む。【選択図】図５
2007174213.tif 000002
【特許請求の範囲】
【請求項１】
文書データに、複写時に再現されない背景パターンと複写時に再現される隠しパターンとからなるフォーム画像を合成し、その合成画像の処理をコンピュータに実行させるための画像処理プログラムにおいて、
前記文書データが図形，写真等のオブジェクトを含むか否かを判定する判定ステップと、
前記文書データが前記オブジェクトを含む場合に、前記オブジェクトの色指定値を別の色指定値に置き換える置換ステップを含むことを特徴とする画像処理プログラム。
【請求項２】
前記置換ステップは、前記オブジェクトの色指定値を濃度の低い色指定値に置き換えることを特徴とする請求項１に記載の画像処理プログラム。
【請求項３】
前記置換ステップは、前記オブジェクトの色指定値の色を別の色に置き換えることを特徴とする請求項１に記載の画像処理プログラム。
【請求項４】
前記置換ステップは、色成分ごとに別の色指定値に置き換えることを特徴とする請求項１に記載の画像処理プログラム。
【請求項５】
文書データに、複写時に再現されない背景パターンと複写時に再現される隠しパターンとからなるフォーム画像を合成し、その合成画像を処理する画像処理方法において、
前記文書データが図形，写真等のオブジェクトを含むか否かを判定する判定ステップと、
前記文書データが前記オブジェクトを含む場合に、前記オブジェクトの色指定値を別の色指定値に置き換える置換ステップを含むことを特徴とする画像処理方法。
【請求項６】
文書データに、複写時に再現されない背景パターンと複写時に再現される隠しパターンとからなるフォーム画像を合成した合成画像を処理する印刷装置において、
前記文書データが図形，写真等のオブジェクトを含むか否かを判定する判定手段と、
前記文書データが前記オブジェクトを含む場合に、前記オブジェクトの色指定値を別の色指定値に置き換える色指定値置換部とを備えたことを特徴とする印刷装置。
【請求項７】
文書データに、複写時に再現されない背景パターンと複写時に再現される隠しパターンとからなるフォーム画像を合成した合成画像を処理する印刷装置において、
前記文書データが図形，写真等のオブジェクトを含むか否かを判定する判定手段と、
前記文書データが前記オブジェクトを含む場合に、前記オブジェクトの階調を階調変換テーブルを用いて補正する階調補正部とを備えたことを特徴とする印刷装置。
【請求項８】
文書データに、複写時に再現されない背景パターンと複写時に再現される隠しパターンとからなるフォーム画像を合成した合成画像を印刷装置に送信する印刷指示装置において、
前記文書データが図形，写真等のオブジェクトを含むか否かを判定する判定手段と、
前記文書データが前記オブジェクトを含む場合に、前記オブジェクトの色指定値を別の色指定値に置き換える色指定値置換部とを備えたことを特徴とする印刷指示装置。
【発明の詳細な説明】
【技術分野】
【０００１】
本発明は、複写時に再現されない背景パターンと複写時に再現される隠しパターンとからなる複写牽制画像（フォーム画像）を付加した機密書類の画像処理プログラム、画像処理方法、印刷装置および印刷指示装置に関する。
【背景技術】
【０００２】
近年、不正コピーの抑止やコピー経路の追跡を目的として、コピーすると隠し文字（文書名、日付、印刷者など）が出現するような複写牽制画像（フォーム画像）をオリジナル文書の背景に印刷する印刷システムが知られている（例えば、特許文献１参照。）。
【特許文献１】特開平１１−２９８７１７号公報（段落［００４１］、図１、図４）
【発明の開示】
【発明が解決しようとする課題】
【０００３】
しかし、従来の印刷システムでは、文書画像（原稿画像）に関係なくフォーム画像を重畳するため、うすい濃度で塗り潰された領域では、隠し文字が目立ってしまうという問題がある。また、逆に、濃い濃度で塗り潰された領域では、コピーしても隠し文字が浮き上がらないという問題がある。また、背景パターンが万線、文書画像の写真や図形が集中型ディザの場合に万線と集中型ディザのスクリーン角度が一致すると、文書画像と合成したとき、縞模様が見えてしまうという問題がある。背景パターンが集中型ディザ、文書画像の写真や図形が万線の場合も同様である。
【０００４】
上記問題を図面を参照しながら説明する。図１１は、フォーム画像の一例を示す。このフォーム画像７０は、１画素当たり１ビットの２値モノクロ画像になっており、背景パターン７１と隠し文字７２とからなる。背景パターン７１は、ドットからなる（図１１では斜線を施して示す。）。隠し文字７２は、「禁複写」の文字からなる。フォーム画像７０は、単位面積当たりの濃度を一定にしているため、実際には隠し文字７２が目立たないが、図１１では分かりやすいように描いてある。
【０００５】
図１１に示すフォーム画像を、図１２（ａ）に示すように、所定の濃度の図形部分７３を有する原稿画像に重畳させると、図１２（ｂ）に示すように、図形部分７３と重ならない隠し文字７２は、目立たないが、図形部分７３と重なった隠し文字７２は、図形部分の７３の濃度が影響して目立ってしまっている。
【０００６】
また、フォーム画像７０が、図１３（ａ）に示すように、背景パターン７１が万線、隠しパターン７２の文字部を誤差拡散で表現され、原稿が、図１３（ｂ）に示すように、集中型ディザで表現されていた場合は、フォーム画像と原稿を合成すると、図１３（ｃ）に示すように、集中型ディザと万線のスクリーン角度が一致していると、ドットが重なる部分が文字部と比較して多かったり少なかったりするので、合成すると文字部が濃く見えたり、薄く見えたりして、縞模様があるように見えてしまい、原稿と違う画像で印刷されてしまう。
【０００７】
したがって、本発明の目的は、文書データが図形，写真等のオブジェクトを含む場合でも、複写牽制画像であるフォーム画像の隠しパターンを、プリント時に目立たなくし、コピー時に浮き上がりやすいように、文書データにフォーム画像を重畳することができる画像処理プログラム、画像処理方法、印刷装置および印刷指示装置を提供することにある。
【課題を解決するための手段】
【０００８】
本発明の第１の態様は、上記目的を達成するため、文書データに、複写時に再現されない背景パターンと複写時に再現される隠しパターンとからなるフォーム画像を合成し、その合成画像の処理をコンピュータに実行させるための画像処理プログラムにおいて、前記文書データが図形，写真等のオブジェクトを含むか否かを判定する判定ステップと、前記文書データが前記オブジェクトを含む場合に、前記オブジェクトの色指定値を別の色指定値に置き換える置換ステップを含むことを特徴とする画像処理プログラムを提供する。
【０００９】
上記背景パターンには、ドット状や斜線状が含まれる。上記隠しパターンには、社外秘、コピー禁止、文書データの作成元等の文字の他に、記号、図形等も含まれる。
【００１０】
前記置換ステップは、前記オブジェクトの色指定値を濃度の低い色指定値に置き換えてもよい。オブジェクトの濃度を低くすることにより、プリント時に隠しパターンが目立たなくなる。
【００１１】
前記置換ステップは、前記オブジェクトの色指定値の色を別の色に置き換えてもよい。
オブジェクトの色と隠しパターンの色との組合せによっては、プリント時に隠しパターンが目立つ場合があるが、オブジェクトの色を別の色に置き換えることにより、プリント時に隠しパターンが目立たなくなる。
【００１２】
前記置換ステップは、色成分ごとに別の色指定値に置き換えてもよい。オブジェクトが複数の色からなる場合に、オブジェクトの各色を別の色に置き換えることにより、プリント時に隠しパターンが目立たなくなる。
【００１３】
前記置換ステップは、前記隠しパターンと重なる前記オブジェクトの色指定値を他の色指定値に置き換えてもよい。また、前記置換ステップは、前記隠しパターンに対して所定の大きさ以上の前記オブジェクトの色指定値を他の色指定値に置き換えてもよい。
【００１４】
本発明の第２の態様は、上記目的を達成するため、文書データに、複写時に再現されない背景パターンと複写時に再現される隠しパターンとからなるフォーム画像を合成し、その合成画像を処理する画像処理方法において、前記文書データが図形，写真等のオブジェクトを含むか否かを判定する判定ステップと、前記文書データが前記オブジェクトを含む場合に、前記オブジェクトの色指定値を別の色指定値に置き換える置換ステップを含むことを特徴とする画像処理方法を提供する。
【００１５】
本発明の第３の態様は、上記目的を達成するため、文書データに、複写時に再現されない背景パターンと複写時に再現される隠しパターンとからなるフォーム画像を合成した合成画像を処理する印刷装置において、前記文書データが図形，写真等のオブジェクトを含むか否かを判定する判定手段と、前記文書データが前記オブジェクトを含む場合に、前記オブジェクトの色指定値を別の色指定値に置き換える色指定値置換部とを備えたことを特徴とする印刷装置を提供する。
【００１６】
本発明の第４の態様は、上記目的を達成するため、文書データに、複写時に再現されない背景パターンと複写時に再現される隠しパターンとからなるフォーム画像を合成した合成画像を処理する印刷装置において、前記文書データが図形，写真等のオブジェクトを含むか否かを判定する判定手段と、前記文書データが前記オブジェクトを含む場合に、前記オブジェクトの階調を階調変換テーブルを用いて補正する階調補正部とを備えたことを特徴とする印刷装置を提供する。
【００１７】
本発明の第５の態様は、上記目的を達成するため、文書データに、複写時に再現されない背景パターンと複写時に再現される隠しパターンとからなるフォーム画像を合成した合成画像を印刷装置に送信する印刷指示装置において、前記文書データが図形，写真等のオブジェクトを含むか否かを判定する判定手段と、前記文書データが前記オブジェクトを含む場合に、前記オブジェクトの色指定値を別の色指定値に置き換える色指定値置換部とを備えたことを特徴とする印刷指示装置を提供する。
【００１８】
上記第１乃至第５の態様によれば、図形，写真等のオブジェクトの色指定値が別の色指定値に置き換わるので、隠しパターンがプリント時に目立たず、コピー時に浮き上がりやすくなる。
【００１９】
上記印刷装置として、複写機やプリンタの他に、コピー、プリンタ、スキャナ、ファクス等の複数の機能を有する複合機を用いることができる。
【００２０】
上記印刷指示装置として、パーソナルコンピュータ（ＰＣ）、ＰＤＡ(Personal Digital Assistance)等の文書データを作成または扱えるの情報端末装置を用いることができる。
【発明の効果】
【００２１】
本発明によれば、文書データが図形，写真等のオブジェクトを含む場合でも、複写牽制画像であるフォーム画像の隠しパターンを、プリント時に目立たなくし、コピー時に浮き上がりやすいように、文書データにフォーム画像を重畳することができる。
【発明を実施するための最良の形態】
【００２２】
［第１の実施の形態］
図１は、本発明の第１の実施の形態に係る画像処理システムの構成図である。この画像処理システム１は、ローカルエリアネットワーク（ＬＡＮ）、インターネット等のネットワーク（ＮＷ）３に接続された印刷指示装置としてのパーソナルコンピュータ（以下、「ＰＣ」という。）２、及び印刷装置としてのプリンタ４により構成されている。
【００２３】
図２は、画像処理システム１のブロック図である。
【００２４】
（パーソナルコンピュータの構成）
ＰＣ２は、隠し文字（隠しパターン）及び背景パターンからなる複写牽制画像（以下、「フォーム画像」という。）を生成するフォーム画像生成部２０と、ＰＣ２内のワープロソフトで作成された文書データを記憶するＨＤＤ（ハードディスク）等からなる画像記憶部２１と、フォーム画像生成部２０によるフォーム画像と画像記憶部２１内の文書データを合成してＰＤＬ(Page  Description  Language：ページ記述言語)の画像データを生成する合成部２２と、キーボード，マウス等を有し、各種の情報を入力する入力部２３と、入力部２３からの入力情報に基づいてＰＣ２各部を制御する制御部２４と、制御部２４の制御によりＰＤＬの画像データをプリンタ３に出力する通信部２５とを備える。
【００２５】
フォーム画像生成部２０は、フォーム設定情報に基づいてビットマップからなるフォーム画像を生成するものである。このフォーム設定情報は、文字列、フォント、フォントサイズ、文字装飾、文字列の角度等からなる隠し文字情報と、背景パターン情報とを含んでいる。なお、フォーム画像は、ビットマップに限られない。
【００２６】
制御部２４は、ＣＰＵ，ＲＯＭ，ＲＡＭ，ＨＤＤ等からなる。制御部２４のＣＰＵは、ＲＯＭやＨＤＤ等に格納されている画像処理プログラム等のプログラムに従い、ＰＣ２の各部を制御する。
【００２７】
（プリンタの構成）
プリンタ４は、ＮＷ３に接続された通信部４０と、ＣＰＵ，ＲＯＭ，ＲＡＭ，ＨＤＤ等からなり、本プリンタ４の各部を制御する制御部４１と、ＰＣ２から送信された画像データを記憶するＨＤＤ等からなる画像記憶部４２と、画像データのうち色指定値を他の色指定値に置換する色指定値置換部４３と、色指定値が変換された画像データを用紙に印刷する画像形成部４４Ａとを備える。
【００２８】
色指定値置換部４３は、図形，写真等のオブジェクトの色指定値を別の色指定値に置き換えるものである。色指定値置換部４３は、例えば、オブジェクトが塗りつぶされた図形である場合には、その色指定値が所定の濃度以上のとき、隠しパターンがプリント時に目立つので、その色指定値を所定の濃度よりも低い濃度の色指定値に置き換える。また、オブジェクトの色と隠しパターンの色の組合せによっては、隠しパターンがプリント時に目立つので、色変換テーブルを参照してオブジェクトの色指定値を別の色の色指定値に置き換える。また、写真が集中型ディザで表現され、背景パターンが万線で表現され、隠しパターンが誤差拡散で表現されている場合に、集中型ディザと万線のスクリーン角が一致したとき、プリント時に模様が浮き上がって見えるため、写真を構成するドットの濃度を低くする。
【００２９】
制御部４１のＣＰＵは、ＲＯＭやＨＤＤ等に格納されている画像処理プログラム等のプログラムに従い、プリンタ４の各部を制御する。また、制御部４１のＣＰＵは、文書データにフォーム画像が重畳されているか否かを判定し、フォーム画像が重畳されている場合には、文書データにオブジェクトが含まれるか否かを判定し、オブジェクトが含まれる場合には、色指定値置換部４３にオブジェクトの色指定値を別の色指定値に置換させる。
【００３０】
画像形成部４４Ａは、ＰＤＬの画像データをビットマップ（ラスターデータ）に変換する変換部４１０と、変換部４１０の出力に対し階調変換テーブルとしてのＴＲＣ(Tone Reproduction Curve：階調再現特性曲線)に基づいて階調補正を行う階調補正部４４１Ａと、階調補正部４４１Ａの出力データを、例えば、電子写真方式により用紙に印刷するプリンタエンジン部４１２とを備える。
【００３１】
ＴＲＣは、理論的な濃度からプリンタエンジン部４１２に合わせた濃度に変化させるためのテーブルである。このＴＲＣを用いて階調補正を行うことにより、プリンタエンジン部４１２の光学走査装置の応答特性や現像部の現像特性等に起因する再現性の低下を防ぐことができる。ＴＲＣは、例えば、３つの色成分Ｒ、Ｇ、Ｂごとに有する。
【００３２】
（フォーム画像）
図３は、図２のフォーム画像生成部２０で生成されるフォーム画像の一例を示す図である。図３（ａ）は、フォーム画像の一例を示し、図３（ｂ）は、図３（ａ）のフォーム画像２８を通常の複写機（プリンタ）でコピーしたコピー画像を示す。図３（ａ）に示すフォーム画像２８は、１画素当たり１ビットの２値モノクロ画像になっており、背景パターン３２と隠し文字３３とからなる。図３（ａ）中の「ＣＯＰＹ」の文字は隠し文字３３の一例であり、ドット状の背景パターン（図３（ａ）では斜線を施して示す。）３２に重畳されている。隠し文字３３は、実際には背景パターン３２の濃度と同一濃度にしてあるため、図３（ａ）のように明瞭に見えるわけではないが、分かりやすいように描いてある。この隠し文字３３の四角枠で囲った部分２８ａを拡大したのが図３の（ｃ）であり、白色矩形と黒色矩形は、それぞれ白色画素と黒色画素を表わしている。
【００３３】
図３の（ｃ）に示すように、隠し文字３３は比較的大きなドットパターンが比較的粗く配置され、背景パターン３２は比較的小さなドットパターンが比較的密に配置されている。そして、隠し文字３３と背景パターン３２は、用紙上にプリント出力した際の平均濃度（単位面積当りの黒画素面積）が同一になるように設けられている。従って、人間の目には、隠し文字３３と背景パターン３２の区別はできず、全面均一のグレイ背景に見えることになる。
【００３４】
図３（ａ）のフォーム画像２８を文書データに合成した印刷データをプリンタ３により一旦印刷し、その印刷したプリント紙を他の汎用の複写機等で複写すると、ドットの大きい隠し文字３３は忠実にコピー再現されるが、ドットの小さい背景パターン３２は忠実にコピー再現されない。このため、背景パターン３２の領域は白く抜けるので、文書画像上に隠し文字３３が出現した図３の（ｂ）のようなコピー画像２９になる。これにより、不正な複写を抑制することができる。なお、実際に用紙にプリントされるのは、合成部３１によって図３の（ａ）のフォーム画像２８に画像記憶部２１からの文書画像を合成した画像となるが、図３（ｂ）では、説明しやすいように、文書画像は図示していない。
【００３５】
図４は、フォーム画像に使用する背景パターンの他の例を示す図である。図３においては、背景パターン３２としてドットパターンを用いたが、図４（ａ）、（ｂ）に示すように、斜線状のパターンによる背景パターン３２を用いることができる。図４（ａ）、（ｂ）の背景パターン３２は、一方が「０」、他方が「１」というようにデジタルデータを表現することが可能であり、これらを用いて、複写を禁止するコード等を埋め込み、プリンタ３を制御することもできる。
【００３６】
（第１の実施の形態の動作）
次に、第１の実施の形態の動作を図５のフローチャートに従って説明する。
【００３７】
ユーザは、ＰＣ２の入力部２３を操作して文書を作成すると、その文書データは、画像記憶部２１に記憶される。その後、ユーザは、入力部２３を操作して画像記憶部２１から印刷する文書データを選択し、フォーム画像との合成を指示し、印刷指示を行うと、制御部２４は、ユーザの合成指示に基づいて、フォーム画像生成部２０によりフォーム画像を生成させ、合成部２２によりフォーム画像と文書データとを合成させ、ＰＤＬの画像データを生成させる。通信部２５は、制御部２４の制御によりＰＤＬの画像データをＮＷ３を介してプリンタ４に送信する。
【００３８】
プリンタ４の通信部４０が、ＰＣ２からＮＷ３を介して画像データを受信すると、制御部４１は、ＰＤＬの画像データを画像記憶部４２に記憶する。制御部４１は、ＰＤＬデータを解釈（スキャン）し（ステップＳ１００１）、文書にフォーム画像が重畳されている（隠し印刷有り）か否かを判定する（ステップＳ１００２）。
【００３９】
フォーム画像が重畳されていなければ（ステップＳ１００２：Ｎｏ）、制御部４１は、そのまま画像形成部４４Ａに画像データを送る。画像形成部４４Ａの変換部４１０は、画像データをビットマップデータに変換して階調補正部４４１Ａに出力する。階調補正部４４１Ａは、変換部４１０の出力に対しＴＲＣに基づいて階調補正を行う。プリンタエンジン部４１２は、階調補正部４４１Ａの出力データを電子写真方式により用紙に印刷する（ステップＳ１００７）。
【００４０】
フォーム画像が重畳されていれば（ステップＳ１００２：Ｙｅｓ）、制御部４１は、さらにＰＤＬデータを解釈（スキャン）し（ステップＳ１００３）、オブジェクト（ここでは図形とする。）が含まれているかを否かを判定する（ステップＳ１００４）。
【００４１】
図形が含まれている場合は（ステップＳ１００４：Ｙｅｓ）、制御部４１は、色指定値置換部４３によって色指定値を別の色指定値に置換して濃度を修正（低下）させる（ステップＳ１００５）。上記処理が全てのページについて行われると（ステップＳ１００６）、制御部４１は、濃度修正された画像データを画像形成部４４Ａに送り、前述したように画像データを用紙に印刷させる（ステップＳ１００７）。
【００４２】
（第１の実施の形態の効果）
上述した第１の実施の形態によれば、以下の効果が得られる。
（イ）原稿の図形部分の濃度を変化させるので、塗り潰された領域の隠しパターンがプリント時に目立たず、コピー時に浮き上がりやすくなる。
（ロ）フォーム画像を付加した原稿の濃度が、元原稿と比べて極端に濃くならないため、原稿が読みにくくならない。
（ハ）原稿の濃度を抑えるため、トナーの消費量が減り、コストダウンや装置の負荷軽減を可能にする。
【００４３】
［第２の実施の形態］
図６は、本発明の第２の実施の形態に係る画像処理システムのブロック図である。本実施の形態のＰＣ２は、第１の実施の形態と同様に構成されている。また、本実施の形態のプリンタ４は、第１の実施の形態の色指定値置換部４３を設けておらず、第１の実施の形態とは階調補正部４４１Ｂの機能が異なり、他は第１の実施の形態と同様に構成されている。
【００４４】
図７（ａ）は、フォーム画像が重畳されていない通常の原稿用のＴＲＣであり、図７（ｂ）は、フォーム画像が重畳されている原稿用のＴＲＣである。階調補正部４４１Ｂは、制御部４１の制御により、図７（ａ）または図７（ｂ）のいずれかのＴＲＣを用いて階調補正を行う。例えば、濃度値が「Ｇｒｅｙ  ７５」であれば、２５６の７５％である１９２が入力値であるから、フォーム画像が重畳されていない画像の場合は、図７（ａ）に示すように、出力値は、約２２４で、２５６の約８８％となるが、フォーム画像が重畳されている画像の場合は、図７（ｂ）に示すように、出力値は、約１６５で、２５６の約６４％となる。図７（ａ）のＴＲＣでは、中間調が入力値よりやや大きな値で出力されるが、図７（ｂ）のＴＲＣでは、濃度の低い色指定値に置き換わる。また、図７（ａ），（ｂ）に示すＴＲＣは、例えば、それぞれ３つの色成分Ｒ、Ｇ、Ｂごとに有する。
【００４５】
（第２の実施の形態の動作）
次に、本実施の形態の動作を説明する。第１の実施の形態と同様にＰＣ２からＰＤＬの画像データをプリンタ４に送信すると、その画像データは、プリンタ４の画像記憶部４２に記憶される。
【００４６】
プリンタ３の制御部４１は、ＰＤＬデータを解釈し、文書にフォーム画像が重畳されているか否かを判定するとともに、画像データを画像形成部４４Ｂに送る。画像形成部４４Ｂの変換部４１０は、画像データをビットマップデータに変換して階調補正部４４１Ｂに出力する。
【００４７】
文書にフォーム画像が重畳されていない場合は、制御部４１は、階調補正部４４１Ｂに図７（ａ）のＴＲＣを用いて階調補正を行わせる。文書にフォーム画像が重畳され、文書にオブジェクトが含まれている場合は、制御部４１は、階調補正部４４１Ｂに図７（ｂ）のＴＲＣを用いて階調補正を行わせる。プリンタエンジン部４１２は、階調補正部４４１Ｂの出力データを電子写真方式により用紙に印刷する。
【００４８】
（第２の実施の形態の効果）
上述した第２の実施の形態によれば、さらに以下の効果が得られる。
（イ）原稿の濃度を変化させるので、隠しパターンがプリント時に目立たず、コピー時に浮き上がりやすくなる。
（ロ）色成分ごとに別の色指定値に置き換えるので、原稿に複数の色が用いられている場合でも、隠しパターンがプリント時に目立たず、コピー時に浮き上がりやすくなる。
（ハ）階調補正部による階調補正により、光学走査装置の応答特性や現像部の現像特性等に起因する再現性の低下も防ぐことができる。
【００４９】
［第３の実施の形態］
図８は、本発明の第３の実施の形態に係る画像処理システムのブロック図である。本実施の形態は、第１の実施の形態において、プリンタ４に設けた色指定値置換部４３をＰＣ２に設けたものであり、他は第１の実施の形態と同様に構成されている。
【００５０】
（第３の実施の形態の動作）
次に、第３の実施の形態の動作を説明する。ユーザは、ＰＣ２の入力部２３を操作して文書を作成すると、その文書データは、画像記憶部２１に記憶される。その後、ユーザは、入力部２３を操作して画像記憶部２１から印刷する文書データを選択し、フォーム画像との合成を指示し、印刷指示を行うと、制御部２４は、ユーザの合成指示に基づいて、フォーム画像生成部２０によりフォーム画像を生成させ、合成部２２によりフォーム画像と文書データとを合成させ、ＰＤＬの画像データを生成させる。
【００５１】
制御部２４は、合成された画像のＰＤＬデータを解釈し、オブジェクト（ここでは図形とする。）が含まれている場合には、その図形部分の色指定値を色指定値置換部４３によって置換する。通信部２５は、制御部２４の制御によりＰＤＬの画像データをＮＷ３を介してプリンタ４に送信する。
【００５２】
プリンタ４の通信部４０が、ＰＣ２からＮＷ３を介して画像データを受信すると、制御部４１は、ＰＤＬの画像データを画像記憶部４２に一旦記憶した後、その画像データを画像形成部４４Ａに画像データを送る。画像形成部４４Ａの変換部４１０は、画像データをビットマップデータに変換して階調補正部４４１Ａに出力する。階調補正部４４１Ａは、変換部４１０の出力に対しＴＲＣに基づいて階調補正を行う。プリンタエンジン部４１２は、階調補正部４４１Ａの出力データを電子写真方式により用紙に印刷する。
【００５３】
（第３の実施の形態の効果）
この第３の実施の形態によれば、ＰＣ２側で最適なフォーム画像を生成するので、汎用のプリンタを用いることができる。
【実施例１】
【００５４】
次に、本発明の実施例１について図面を参照して説明する。
【００５５】
図９は、ＰＤＬデータの変化を示し、（ａ）は、図形を有する原稿のＰＤＬ、（ｂ）は、（ａ）の原稿に隠し文字を付加したＰＤＬ、（ｃ）は、図形の濃度を低下させたＰＤＬを示す。図１０（ａ）は、原稿の画像、図１０（ｂ）はフォーム画像と原稿画像の合成画像を示す。
【００５６】
原稿は、図１０（ａ）に示すように、図形部分７３を有しているとする。また、その図形部分７３は、ＰＤＬでは、図９（ａ）に示すように、「大きさ（１００  １００  ２００  ２００）Ｇｒｅｙ  ７５」と表現される。
【００５７】
フォーム画像７０は、図１１に示すように、ドット状の背景パターン（図１１では斜線を施して示す。）７１と「禁複写」の隠し文字７２とから構成されているとする。なお、隠し文字７２は、実際にはほとんど見えないが、図１１では強調して描いてある。隠し文字７２は、ＰＤＬでは、図９（ｂ）に示すように、「AddWatermark”禁複写”」と表現される。
【００５８】
図形部分７３の濃度を「Ｇｒｅｙ  ７５」から「Ｇｒｅｙ  ５０」に修正してフォーム画像と原稿を合成すると、図１０（ｂ）に示すように、図形部分７３に重なった「禁複写」の隠し文字７２は、図形部分７３に重なっていない隠し文字７２とほぼ同様に、ほとんど見えなくなる。なお、「禁複写」の隠し文字７２は、図９（ｂ）では強調して描いている。
【００５９】
［他の実施の形態］
なお、本発明は、上記各実施の形態、上記実施例に限定されず、その発明の趣旨を逸脱しない範囲で種々と変形実施が可能である。また、上記各実施の形態の構成要素を発明の趣旨を逸脱しない範囲で任意に組み合わせることができる。
【００６０】
上記各実施の形態では、文書データとフォーム画像を合成した後に色指定値の置き換えを行ったが、文書データの色指定値の置き換えを行ってからフォーム画像と合成してもよい。
【００６１】
上記各実施の形態では、オブジェクトとして図形について説明したが、写真やイラスト等の他のオブジェクトでもよい。
【図面の簡単な説明】
【００６２】
【図１】本発明の第１の実施の形態に係る画像処理システムの構成図である。
【図２】本発明の第１の実施の形態に係る画像処理システムのブロック図である。
【図３】（ａ）,（ｂ）,（ｃ）は、図２のフォーム画像生成部で生成されるフォーム画像の一例を示す図である。
【図４】（ａ），（ｂ）は、フォーム画像に使用する背景パターンの他の例を示す図である。
【図５】本発明の第１の実施の形態に係る画像処理システムの動作を示すフローチャートである。
【図６】本発明の第２の実施の形態に係るＰＣ及びプリンタの詳細構成を示すブロック図である。
【図７】（ａ）はフォーム画像が重畳されていない原稿用のＴＲＣを示し、（ｂ）はフォーム画像が重畳されている原稿用のＴＲＣを示す図である。
【図８】本発明の第３の実施の形態に係る画像処理システムの内部構成を示すブロック図である。
【図９】（ａ），（ｂ），（ｃ）は、本発明の実施例１におけるＰＤＬの変換を示す説明図である。
【図１０】（ａ），（ｂ）は、本発明の実施例１のフォーム画像重畳の説明図である。
【図１１】フォーム画像の一例を示す図である。
【図１２】（ａ），（ｂ）は、従来の問題点を説明するための図である。
【図１３】（ａ），（ｂ），（ｃ）は、従来の問題点を説明するための図である。
【符号の説明】
【００６３】
１  画像処理システム
２  パーソナルコンピュータ（ＰＣ）
３  ネットワーク（ＮＷ）
４  プリンタ
１０  画像形成部
２０  フォーム画像生成部
２１  画像記憶部
２２  合成部
２３  入力部
２４  制御部
２５  通信部
２８  フォーム画像
２９  コピー画像
３２  背景パターン
３３  隠し文字
４０  通信部
４１  制御部
４２  画像記憶部
４３  色指定置換部
４４Ａ，４４Ｂ  画像形成部
７０  フォーム画像
７１  背景パターン
７２  隠し文字
７３  図形部分
４４０  変換部
４４１Ａ，４４１Ｂ  階調補正部
４４２  プリンタエンジン部
【図１】
2007174213.tif 000003
【図２】
2007174213.tif 000004
【図３】
2007174213.tif 000005
【図４】
2007174213.tif 000006
【図５】
2007174213.tif 000007
【図６】
2007174213.tif 000008
【図７】
2007174213.tif 000009
【図８】
2007174213.tif 000010
【図９】
2007174213.tif 000011
【図１０】
2007174213.tif 000012
【図１１】
2007174213.tif 000013
【図１２】
2007174213.tif 000014
【図１３】
2007174213.tif 000015